(57)【要約】【課題】複数の表示パネルが並置された表示装置であっても、表示パネルの間にある意匠部が透過照明されることによって、複数の表示パネルに一体感を持たせることができる。【解決手段】光源の光によって照明される第１の表示パネルと、第１の表示パネルと並置して設けられる第２の表示パネルと、第１の表示パネル及び第２の表示パネルを覆うように設けられた前面板３とを備えた表示装置において、第１の表示パネルと第２の表示パネルとの間に非表示領域３ａを有し、非表示領域３ａと対応する箇所に意匠部３１を有し、意匠部３１は、前面板３を透過する光によって照明されることによって、複数の表示パネルが並置された表示装置であっても、表示パネルの間にある意匠部３１が透過照明されることによって、意匠部３１と各表示パネルとの間において段差や境界が見えないため、表示パネルに一体感を持たせることができる。【選択図】  図１
2012189666.tif 000002
【特許請求の範囲】
【請求項１】
光源の光によって照明される第１の表示パネルと、前記第１の表示パネルと並置して設けられる第２の表示パネルと、前記第１の表示パネル及び前記第２の表示パネルの表示面側を覆うように設けられた前面板とを備えた表示装置において、
前記第１の表示パネルと前記第２の表示パネルとの間に中間部を有し、
前記非表示領域と対応する箇所に意匠部を有し、
前記意匠部は、前記前面板を透過する光によって照明されることを特徴とする表示装置。
【請求項２】
前記前面板は、前記中間部に屈曲部を有し、前記意匠部に光を導光する導光部が前記中間部の背面側に設けられたことを特徴とする請求項１に記載の表示装置。
【請求項３】
前記第１の表示パネルは、液晶表示パネルからなることを特徴とする請求項１及び２に記載の表示装置。
【発明の詳細な説明】
【技術分野】
【０００１】
本発明は、表示装置に関し、特に複数の表示パネルを備えてなる表示装置に関するものである。
【背景技術】
【０００２】
表示パネルを複数備えてなる表示装置は、例えば特許文献１に記載されている。この表示装置は、複数の有機ＥＬパネルを並置して表示領域を大型化するものである。通常、複数の表示パネルを並置すると、保持部材などによって各表示パネル間に一定の非表示領域が生じる。従来は、文字板に設けた透視窓などによって表示パネルを視認可能とし、非表示領域は文字板で隠す構造が知られている。
【先行技術文献】
【特許文献】
【０００３】
【特許文献１】特開２００５−７１９４４号公報
【発明の概要】
【発明が解決しようとする課題】
【０００４】
しかしながら、前記各表示パネル間に段差や隙間が生じることによって、表示装置の表示領域内の見栄えが損なわれ、表示装置の一体感を表現しにくいという問題点があった。
【課題を解決するための手段】
【０００５】
そこで本発明は、光源の光によって照明される第１の表示パネルと、前記第１の表示パネルと並置して設けられる第２の表示パネルと、前記第１の表示パネル及び前記第２の表示パネルの表示面側を覆うように設けられた前面板とを備えた表示装置において、
前記第１の表示パネルと前記第２の表示パネルとの間に中間部を有し、
前記中間部と対応する箇所に意匠部を有し、
前記意匠部は、前記前面板を透過する光によって照明されるものである。
【０００６】
このように構成することによって、複数の表示パネルが並置された表示装置であっても、表示パネルの間にある意匠部が透過照明されることによって、複数の表示パネルに一体感を持たせることができる。
【０００７】
また本発明は、前記前面板は、前記中間部に屈曲部を有し、前記意匠部に光を導光する導光部が前記中間部の背面側に設けられたものである。
【０００８】
このように構成することによって、前記意匠部を専用光源を設けることなく照明することができるので、コストダウンを達成することができる。
【０００９】
また本発明は、前記第１の表示パネルは、液晶表示パネルからなることを特徴とする請求項１及び２に記載の表示装置。
【発明の効果】
【００１０】
本発明は、複数の表示パネルを用いた表示装置に関するものであり、各表示パネルによる表示に一体感を持たせ、表示装置の外観を良好にすることが可能となる。
【図面の簡単な説明】
【００１１】
【図１】本発明の第１実施形態を示す液晶表示装置の正面図。
【図２】図１のＡ−Ａ断面図（ハッチング省略）。
【図３】本発明の第２実施形態を示す液晶表示装置の正面図と。
【図４】図３のＡ−Ａ断面図（ハッチング省略）。
【発明を実施するための形態】
【００１２】
以下、本発明の実施形態に係る表示装置を燃料残量などの車両情報を表示する車両用計器に適用したものを例に挙げて添付の図面を参照して説明する。
【００１３】
本発明の表示装置は、ＴＦＴ型液晶表示ユニットから構成された第１の表示パネル１と、バーグラフ表示部２３を有するセグメント表示をさせる第２の表示パネル２と、第１の表示パネル１と第２の表示パネル２を連続して覆う前面板３とから主に構成される。
【００１４】
第１の表示パネル１は、本実施形態においては、液晶表示部であり、２枚のガラス基板間に液晶分子を封入し、各々のガラス基板に偏光膜を貼り合わせた矩形の液晶表示パネル１１と、この液晶表示パネル１１の裏面側に配置され光透過性を有する図示しない拡散板と、液晶表示パネル１１および拡散板が支持される図示しないホルダーと、液晶表示パネル１１の表面側周縁を抑える枠状の縁部を有する図示しないパネル抑えと、回路基板７上に実装され液晶表示パネル１１を背後から透過照明する光源としての発光ダイオードと、液晶表示パネル１１と回路基板とを繋ぐ導電性の接続部材としての端子とから主に構成される。それらは、液晶ユニットＵとして構成されている。この場合、液晶表示パネル１１は、画像表示可能なＴＦＴ型の駆動モジュールが実装され、別途設けられた駆動回路によって区画形成された画素毎に表示制御される。
【００１５】
第２の表示パネル２は、本実施形態においては、セグメント表示部であり、液晶表示パネル２１と、この液晶表示パネル２１の裏面側に配置された拡散板（図示せず）と、液晶表示パネル２１および拡散板が保持されるホルダー（図示せず）と、このホルダーの背後に配置され液晶表示パネル２１および拡散板を背後から透過照明するセグメント表示用光源６としての発光ダイオードと、この光源の光を液晶表示パネル２１に導光する導光体２２や液晶表示パネル２１を駆動させる制御手段（図示せず）などが実装された硬質の回路基板７と、液晶表示パネル２１と回路基板７とを電気的に接続する接続端子８とを備え、セルケース９によって保持されている。
【００１６】
液晶表示パネル１１は、周知の如く、ＩＴＯからなる透明電極（所謂セグメント電極）が形成された前側ガラス基板と、同じく透明電極（所謂コモン電極）が形成された後側ガラス基板との間に液晶分子を封入し、各々のガラス基板に偏光膜を貼ったものである。そして、後側ガラス基板の端部に引き回された電極を通して各透明電極に外部計測量に応じた信号が印加されると、計測量である例えば車両の燃料残量がバー表示されるようになっており、液晶表示パネル１１は、例えば燃料残量をバー表示するバーグラフ表示部２３を有している。
【００１７】
前面板３は、光透過性の合成樹脂パネルからなる基材の表面又は裏面に、例えば黒色など不透過の印刷が施された非表示領域３ａと、第１及び第２の表示パネルが視認可能なように設けられた表示枠３ｄと、非表示領域３ａの印刷時に所定の意匠が抜き印刷された意匠部３１とを備えている。また、前面板３の一辺（図１中右下）には、エッジライト用光源６ａの光を意匠部３１の方向に反射させるための反射面３２が設けられている。意匠部３１は、第２の表示パネル２の表示内容に関連する意匠が形成され、この場合、バーグラグ表示部２３の指標部や表示内容を示すアイコンが形成されている。これにより、意匠部３１と第２の表示パネル２との一体感を得ることができる。
【００１８】
回路基板７は、硬質の基板からなり、図示しないが回路パターン等が印刷されている。また、回路基板７には、セグメント表示用光源６の他に、エッジライト照明用光源６ａも実装されてある。
【００１９】
このように構成された表示装置において、エッジライト照明用光源６ａから出射した光は、透明パネル３に設けられた反射面３２によって意匠部３１の方向に反射され、その光によって意匠部３１が透過照明される。
【００２０】
このように本発明は、光源の光によって照明される第１の表示パネルと、第１の表示パネルと並置して設けられる第２の表示パネルと、第１の表示パネル及び第２の表示パネルを覆うように設けられた前面板３とを備えた表示装置において、第１の表示パネルと第２の表示パネルとの間に中間部Ｓを有し、中間部Ｓと対応する箇所に意匠部３１を有し、意匠部３１は、前面板３を透過する光によって照明されることによって、複数の表示パネルが並置された表示装置であっても、表示パネルの間にある意匠部３１が透過照明されることによって、意匠部３１と各表示パネルとの間において段差や境界が見えないため、表示パネルに一体感を持たせることができる。
【００２１】
次に、第２の実施形態を説明する。  第１の実施形態と同一部材には同一の符号を付し、詳細は省略する。
【００２２】
本実施形態の場合、第２の表示パネル２は第１の表示パネル１よりも観察者側に傾いて配置され、その傾きによって生じる中間部Ｓを挟んで第１の表示パネル１と第２の表示パネル２が並置されている。
【００２３】
前面板３は、光透過性の合成樹脂パネルからなる基材の表面に、不透過の印刷が施された文字板３２であり、第１の表示パネル１の表示枠３ｃと、第２の表示パネル２の表示枠３ｄと、所定の意匠が抜き印刷された意匠部３１とを備え、意匠部３１を軸点として観察者側方向に傾く屈曲部３２ａが、例えば絞り成形などの手法によって形成されている。この表示枠３ｃ，３ｄと意匠部３１の背景となる中間部Ｓの遮光印刷とを連続的に形成することによって、一体感を得ることができる。
【００２４】
また、前面板３の表示面と反対側には、回路基板７に実装されたセグメント表示用光源６からの光を意匠部３１に導光するための導光部材５０が設けられている。導光部材５０は、液晶表示パネル２１を保持するセルケース９と一体成形されている。
【００２５】
このように構成された表示装置において、セグメント表示用光源６から出射した光は、導光部材５０によって意匠部３１の方向に導かれ、意匠部３１を透過照明する。
【００２６】
このように本発明は、前面板３は、第１の表示パネル１と第２の表示パネル２とが中間部Ｓを介して配置される箇所と対応する屈曲部３２ａを有し、意匠部３１に光を導光する導光部材５０が屈曲部３２ａの背面側に設けられたことによって、各表示パネルの間に空間が生まれ、その空間に意匠部３１に光を導光するための導光部材５０を配置することで、意匠部３１を照明することができるので、第１の実施形態のようにエッジライト照明を設ける必要がなくコストダウンを達成することができる。また、観察者はセグメント表示部２を液晶表示部１よりも手前側に視認することができるので、奥行き感のある表示装置となる。また、構成全体を屈曲した大きな一枚のディスプレイのように見せることができる。
【符号の説明】
【００２７】
１    液晶表示部（第１の表示パネル）
２    セグメント表示部（第２の表示パネル）
３    前面板
３ａ  非表示領域
３ｃ  表示枠
３ｄ  表示枠
５    導光体
６    セグメント表示用光源
６ａ  エッジライト用光源
７    回路基板
８    接続端子
９    セルケース
２２  導光体
２３  バーグラフ表示部
３１  意匠部
３２  文字板
３２ａ  屈曲部
５０  導光部材
Ｓ    中間部
Ｕ    液晶ユニット
【図１】
2012189666.tif 000003
【図２】
2012189666.tif 000004
【図３】
2012189666.tif 000005
【図４】
2012189666.tif 000006